【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
踏み板部材（９）を受けるための平面（Ｅ３）を画定する後部横部材（２２）および前部横部材（２４）と、
一方（２０．１）が右側に、一方（２０．２）が左側に、横部材（２２、２４）に対して実質的に垂直に配置された２つの外側ステップチーク（２０．１、２０．２）またはプレートチークとを備えており、
２つの横部材（２２、２４）が、深絞りされた金属薄板で製作され、荷重を支えるフレームを形成すべくステップチーク（２０．１、２０．２）またはプレートチークへと溶接され、接続され、リベットで接合され、ねじで接続され、接着剤で接合され、あるいはクリンチされているコンベア装置（１）のステップまたはプレートのそれぞれのためのステップ支持体（１７）またはプレート支持体であって、横部材（２２、２４）の端部における横部材（２２、２４）の高さ（Ｈ２）が、横部材（２２、２４）が隆起した形状を有するように、中央における横部材（２２、２４）の高さ（Ｈ３）よりも小さく、中央における横部材（２２、２４）の高さ（Ｈ３）が、荷重下の横部材（２２、２４）において応力の一様な分布が生じるよう、横部材（２２、２４）の端部における横部材（２２、２４）の高さ（Ｈ２）の少なくとも１．５倍の大きさであり、最大で２倍の大きさであることを特徴とする、ステップ支持体またはプレート支持体。
【請求項２】
少なくとも１つの縦方向の支柱、中央部材、中央支柱、または引っ張り支柱（２３）が、２つの横部材（２２、２４）を接続し、縦方向の支柱、中央部材、中央支柱、または引っ張り支柱（２３）が、深絞りされた金属薄板で製作されていることを特徴とする、請求項１に記載のステップ支持体（１７）またはプレート支持体。
【請求項３】
前部横部材（２４）および／または後部横部材（２２）が、右側および左側部材部分で構成されており、あるいは鏡像対称を有することを特徴とする、請求項１または２に記載のステップ支持体（１７）またはプレート支持体。
【請求項４】
少なくとも１つの横部材（２２、２４）ならびに／あるいは少なくとも１つのステップチーク（２０．１、２０．２）またはプレートチークが、深絞りされた金属薄板で構成され、好ましくはＨ３８０またはＨ４００の（ファイン）鋼板で構成されており、三次元の外形を有することを特徴とする、請求項１から３のいずれか一項に記載のステップ支持体（１７）またはプレート支持体。
【請求項５】
少なくとも１つの横部材（２２、２４）ならびに／あるいは少なくとも１つのステップチーク（２０．１、２０．２）またはプレートチークに、
凹所（複数を含む）（２９）、
ビード（複数を含む）（２８）またはモールディング、ならびに／あるいは
緩和用の切り欠き（複数を含む）（１８）が設けられていることを特徴とする、請求項１から４のいずれか一項に記載のステップ支持体（１７）またはプレート支持体。
【請求項６】
金属薄板が、０．７５ミリメートルから１．９ミリメートルの間の厚さを有し、好ましくは１．１から１．６ミリメートルの間の厚さを有することを特徴とする、請求項１から５のいずれか一項に記載のステップ支持体（１７）またはプレート支持体。
【請求項７】
請求項１から６のいずれか一項に記載のステップ支持体（１７）またはプレート支持体を備えるエスカレータのステップ（２）または動く歩道のプレート。
【請求項８】
踏み板部材（９）および／またはライザ部材（１４）が、深絞りされた金属薄板で製作されていることを特徴とする、請求項７に記載のエスカレータのステップ（２）または動く歩道のプレート。
【請求項９】
本質的に荷重を支えるユニットを、踏み板部材（９）および／またはライザ部材（１４）が可逆に挿入可能、差し込み可能、または交換可能であるように形成するために、踏み板部材（９）および／またはライザ部材（１４）が、素早い作用の固定手段（３７．１、３７．２）、留めワッシャ、把持リング、または固定手段（４１）によってステップ支持体（１７）またはプレート支持体に機械的に接続されることを特徴とする、請求項７または８に記載のエスカレータのステップ（２）または動く歩道のプレート。
【請求項１０】
踏み板部材（９）および／またはライザ部材（１４）が、ステンレス鋼板、（ファイン）鋼板、（あらかじめ）亜鉛めっきされた金属薄板、銅板、電解浸漬コーティングされた金属薄板、または溶融亜鉛めっきされた金属薄板で構成されていることを特徴とする、請求項７から９のいずれか一項に記載のエスカレータのステップ（２）または動く歩道のプレート。
【請求項１１】
固定レール（３５、３８、３９）が、
取り付けられた状態においてステップ支持体（１７）に面する踏み板部材（９）の後面、および／または
取り付けられた状態においてステップ支持体（１７）に面するライザ部材（１４）の下面に溶接され、固定され、一体化され、組み込まれ、あるいは取り付けられており、固定ボルトまたは差し込みボルト（３７）ならびに／あるいは素早い作用の固定具（３７．１、３７．２、４１）のための受け入れ領域を有することを特徴とする、請求項７から１０のいずれか一項に記載のエスカレータのステップ（２）。
【請求項１２】
固定レール（３５、３８、３９）が、取り付けられた状態においてプレート支持体（１７）に面する踏み板部材（９）の後面に溶接され、固定され、一体化され、組み込まれ、あるいは取り付けられており、固定ボルトまたは差し込みボルト（３７）ならびに／あるいは素早い作用の固定具（３７．１、３７．２、４１）のための受け入れ領域を有することを特徴とする、請求項７から１１のいずれか一項に記載の動く歩道のプレート。
【請求項１３】
請求項７から１２のいずれか一項に記載のステップ（２）またはプレートを複数備えるコンベア装置（１）。
【請求項１４】
チェーンまたはコンベアチェーンのチェーンピンアクスル（２１．１、２１．２）を受け入れるための少なくとも１つのステップ穴（３２）またはプレート穴が、少なくとも１つのステップチーク（２０．１、２０．１）またはプレートチーク、あるいは各々のステップチーク（２０．１、２０．１）またはプレートチークに設けられ、少なくとも１つのステップチーク（２０．１、２０．１）またはプレートチーク、あるいは各々のステップチーク（２０．１、２０．１）またはプレートチークが、チェーンピンアクスル（２１．１、２１．２）を備え、含み、あるいは収容し、チェーンピンアクスル（２１．１、２１．２）は、好ましくはチェーンピン差し込みアクスルであることを特徴とする、請求項１３に記載のコンベア装置（１）。
【請求項１５】
少なくとも１つのステップチーク（２０．１、２０．１）またはプレートチーク、あるいは各々のステップチーク（２０．１、２０．１）またはプレートチークにおいて、ステップ穴（３２）またはプレート穴の領域に、周状の金属薄板のカラーが存在していることを特徴とする、請求項１４に記載のコンベア装置（１）。
【請求項１６】
転動ローラアクスル（２５）および／または転動ローラ（６．１、６．２）を受け入れるための少なくとも１つの転動ローラ穴（３０）が、少なくとも１つのステップチーク（２０．１、２０．１）またはプレートチーク、あるいは各々のステップチーク（２０．１、２０．１）またはプレートチークに設けられ、少なくとも１つのステップチーク（２０．１、２０．１）またはプレートチーク、あるいは各々のステップチーク（２０．１、２０．１）またはプレートチークが、転動ローラ（６．１、６．２）を有する転動ローラアクスル（２５）を備えることを特徴とする、請求項１３から１５のいずれか一項に記載のコンベア装置（１）。
【請求項１７】
周状の金属薄板のカラー（３１）が、少なくとも１つのステップチーク（２０．１、２０．１）またはプレートチーク、あるいは各々のステップチーク（２０．１、２０．１）またはプレートチークにおいて、転動ローラ穴（３０）の領域に存在していることを特徴とする、請求項１６に記載のコンベア装置（１）。
【請求項１８】
少なくとも１つの横部材（２２、２４）または各々の横部材（２２、２４）が、少なくとも１つのビード（２８）、少なくとも１つの通路または凹所（２９）、少なくとも１つの緩和用の切り欠き（１８）、ならびに／あるいは少なくとも１つの固定領域（１９）、固定位置、アイランド、塔、または高台を有することを特徴とする、請求項１３から１７のいずれか一項に記載のコンベア装置（１）。
【請求項１９】
少なくとも１つのステップチーク（２０．１、２０．１）またはプレートチーク、あるいは各々のステップチーク（２０．１、２０．１）またはプレートチークが、少なくとも１つのビード（２８）ならびに／あるいは少なくとも１つの通路または凹所（２９）を有することを特徴とする、請求項１３から１８のいずれか一項に記載のコンベア装置（１）。